(57)【特許請求の範囲】
【請求項１】
移動通信システムにおける端末（ＵＥ；ｕｓｅｒ  ｅｑｕｉｐｍｅｎｔ）によるネットワークと通信する方法において、
ＭＢＳＦＮ（ｍｕｌｔｉｍｅｄｉａ  ｂｒｏａｄｃａｓｔ  ｍｕｌｔｉｃａｓｔ  ｓｉｎｇｌｅ  ｆｒｅｑｕｅｎｃｙ  ｎｅｔｗｏｒｋ）領域（ａｒｅａ）に対する情報を含む第１のシステム情報ブロック（ＳＩＢ；ｓｙｓｔｅｍ  ｉｎｆｏｒｍａｔｉｏｎ  ｂｌｏｃｋ）を前記ネットワークから受信し、
隣接（ｎｅｉｇｈｂｏｒｉｎｇ）ＭＢＭＳ（ｍｕｌｔｉｍｅｄｉａ  ｂｒｏａｄｃａｓｔ  ｍｕｌｔｉｃａｓｔ  ｓｅｒｖｉｃｅ）サービス領域（ＳＡ；ｓｅｒｖｉｃｅ  ａｒｅａ）に対する情報を含む第２のＳＩＢを前記ネットワークから受信することを含む方法。
【請求項２】
前記第１のＳＩＢは、ＳＩＢ１３であることを特徴とする請求項１に記載の方法。
【請求項３】
前記第１のＳＩＢは、前記端末の現在セル（ｃｕｒｒｅｎｔ  ｃｅｌｌ）から受信されることを特徴とする請求項１に記載の方法。
【請求項４】
前記第２のＳＩＢは、前記端末の現在セルから受信されることを特徴とする請求項１に記載の方法。
【請求項５】
前記第２のＳＩＢを受信することは、前記現在セルの特定周波数（ｓｐｅｃｉｆｉｃ  ｆｒｅｑｕｅｎｃｙ）にキャンプオン（ｃａｍｐ  ｏｎ）することを含むことを特徴とする請求項４に記載の方法。
【請求項６】
前記第２のＳＩＢは、前記隣接ＭＢＭＳ  ＳＡに対応される隣接セルから受信されることを特徴とする請求項１に記載の方法。
【請求項７】
前記第２のＳＩＢを受信することは、前記隣接セルの特定周波数にキャンプオンすることを含むことを特徴とする請求項６に記載の方法。
【請求項８】
前記隣接ＭＢＭＳ  ＳＡに対する情報は、特定周波数のための情報であることを特徴とする請求項１に記載の方法。
【請求項９】
前記隣接ＭＢＭＳ  ＳＡに対する情報に基づいて前記特定周波数にキャンプオンするこをさらに含むことを特徴とする請求項８に記載の方法。
【請求項１０】
移動通信システムにおけるネットワークと通信するように構成される端末（ＵＥ；ｕｓｅｒ  ｅｑｕｉｐｍｅｎｔ）において、
ＭＢＳＦＮ（ｍｕｌｔｉｍｅｄｉａ  ｂｒｏａｄｃａｓｔ  ｍｕｌｔｉｃａｓｔ  ｓｉｎｇｌｅ  ｆｒｅｑｕｅｎｃｙ  ｎｅｔｗｏｒｋ）領域（ａｒｅａ）に対する情報を含む第１のシステム情報ブロック（ＳＩＢ；ｓｙｓｔｅｍ  ｉｎｆｏｒｍａｔｉｏｎ  ｂｌｏｃｋ）を前記ネットワークから受信し、
隣接（ｎｅｉｇｈｂｏｒｉｎｇ）ＭＢＭＳ（ｍｕｌｔｉｍｅｄｉａ  ｂｒｏａｄｃａｓｔ  ｍｕｌｔｉｃａｓｔ  ｓｅｒｖｉｃｅ）サービス領域（ＳＡ；ｓｅｒｖｉｃｅ  ａｒｅａ）に対する情報を含む第２のＳＩＢを前記ネットワークから受信するように構成される送受信機（ｔｒａｎｓｃｅｉｖｅｒ）を含む端末。
【請求項１１】
前記第１のＳＩＢは、ＳＩＢ１３であることを特徴とする請求項１０に記載の端末。
【請求項１２】
前記第１のＳＩＢは、前記端末の現在セル（ｃｕｒｒｅｎｔ  ｃｅｌｌ）から受信されることを特徴とする請求項１０に記載の端末。
【請求項１３】
前記第２のＳＩＢは、前記端末の現在セルから受信されることを特徴とする請求項１０に記載の端末。
【請求項１４】
前記送受信機は、前記現在セルの特定周波数（ｓｐｅｃｉｆｉｃ  ｆｒｅｑｕｅｎｃｙ）にキャンプオン（ｃａｍｐ  ｏｎ）するように構成されることを特徴とする請求項１３に記載の端末。
【請求項１５】
前記第２のＳＩＢは、前記隣接ＭＢＭＳ  ＳＡに対応される隣接セルから受信されることを特徴とする請求項１０に記載の端末。
【請求項１６】
前記送受信機は、前記隣接セルの特定周波数にキャンプオンするように構成されることを特徴とする請求項１５に記載の端末。
【請求項１７】
前記隣接ＭＢＭＳ  ＳＡに対する情報は、特定周波数のための情報であることを特徴とする請求項１０に記載の端末。
【請求項１８】
前記送受信機は、前記隣接ＭＢＭＳ  ＳＡに対する情報に基づいて前記特定周波数にキャンプオンするように構成されることを特徴とする請求項１７に記載の端末。
【発明の詳細な説明】
【技術分野】
【０００１】
本発明は、無線通信に関し、より詳しくは、無線通信システムにおけるシステム情報を送信する方法及び装置に関する。
【背景技術】
【０００２】
ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）は、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）及びＧＰＲＳ（ｇｅｎｅｒａｌ  ｐａｃｋｅｔ  ｒａｄｉｏ  ｓｅｒｖｉｃｅｓ）などのヨーロッパシステム（Ｅｕｒｏｐｅａｎ  ｓｙｓｔｅｍ）に基づいてＷＣＤＭＡ（登録商標）（ｗｉｄｅｂａｎｄ  ｃｏｄｅ  ｄｉｖｉｓｉｏｎ  ｍｕｌｔｉｐｌｅ  ａｃｃｅｓｓ）で動作する３世帯（３ｒｄ  ｇｅｎｅｒａｔｉｏｎ）非同期（ａｓｙｎｃｈｒｏｎｏｕｓ）移動通信システムである。ＵＭＴＳのＬＴＥ（ｌｏｎｇ−ｔｅｒｍ  ｅｖｏｌｕｔｉｏｎ）がＵＭＴＳを標準化した３ＧＰＰ（３ｒｄ  ｇｅｎｅｒａｔｉｏｎ  ｐａｒｔｎｅｒｓｈｉｐ  ｐｒｏｊｅｃｔ）により議論中である。３ＧＰＰ  ＬＴＥは、高速パケット通信のための技術である。３ＧＰＰ  ＬＴＥは、ユーザ及び供給者の費用減少、サービス品質の向上、拡張されて向上したカバレッジ及びシステム容量、周波数帯域（ｆｒｅｑｕｅｎｃｙ  ｂａｎｄ）の柔軟な（ｆｌｅｘｉｂｌｅ）使用、簡単な構造（ｓｉｍｐｌｅ  ｓｔｒｕｃｔｕｒｅ）、開放インターフェース（ｏｐｅｎ  ｉｎｔｅｒｆａｃｅ）及び端末の適切な電力使用などを要求する。このために多くの方式が提案されてきた。
【０００３】
３ＧＰＰ  ＬＴＥでＭＢＭＳ（ｍｕｌｔｉｍｅｄｉａ  ｂｒｏａｄｃａｓｔ／ｍｕｌｔｉｃａｓｔ  ｓｅｒｖｉｃｅ）サービスが提供されることができる。ＭＢＭＳは、データパケットを多数のユーザに同時に送信するサービスである。一定水準のユーザが同一セルに存在する場合、各ユーザが必要なリソースを共有するようにすることによって、多数のユーザが同一マルチメディアデータを受信してリソースの効率を高めることができる。また、ユーザ立場ではマルチメディアサービスを安く利用することができる。
【０００４】
ＭＢＭＳサービスは、非ＭＢＭＳサービスと共有される周波数階層（ｆｒｅｑｕｅｎｃｙ）上に単一周波数ネットワーク（ＳＦＮ；ｓｉｎｇｌｅ  ｆｒｅｑｕｅｎｃｙ  ｎｅｔｗｏｒｋ）により提供されることができる。ＭＢＭＳサービスを受信しようとする端末は、ＭＢＭＳサービスが提供される周波数で放送される制御情報を介して現在搬送波周波数（ｃｕｒｒｅｎｔ  ｃａｒｒｉｅｒ  ｆｒｅｑｕｅｎｃｙ）で提供されるＭＢＭＳサービスの情報を獲得することができる。また、端末は、状況によって現在搬送波周波数でない他の搬送波周波数で提供されるＭＢＭＳサービスの受信を所望することもある。
【０００５】
他の搬送波周波数が提供するＭＢＭＳサービスを、端末が効率的に受信するための方法が要求される。
【発明の概要】
【発明が解決しようとする課題】
【０００６】
本発明の技術的課題は、無線通信システムにおけるシステム情報を送信する方法及び装置を提供することである。本発明は、現在搬送波周波数（ｃｕｒｒｅｎｔ  ｃａｒｒｉｅｒ  ｆｒｅｑｕｅｎｃｙ）及び隣接搬送波周波数（ｎｅｉｇｈｂｏｒｉｎｇ  ｃａｒｒｉｅｒ  ｆｒｅｑｕｅｎｃｙ）に対する情報をシステム情報を介して送信する方法を提供する。
【課題を解決するための手段】
【０００７】
一態様において、無線通信システムにおける端末（ＵＥ；ｕｓｅｒ  ｅｑｕｉｐｍｅｎｔ）によるＭＢＭＳ（ｍｕｌｔｉｍｅｄｉａ  ｂｒｏａｄｃａｓｔ／ｍｕｌｔｉｃａｓｔ  ｓｅｒｖｉｃｅ）サービス領域（ｓｅｒｖｉｃｅ  ａｒｅａ）情報を獲得する方法が提供される。前記方法は、第１の搬送波周波数（ｃａｒｒｉｅｒ  ｆｒｅｑｕｅｎｃｙ）上で動作する第１のセルから放送（ｂｒｏａｄｃａｓｔ）されるシステム情報（ｓｙｓｔｅｍ  ｉｎｆｏｒｍａｔｉｏｎ）を受信し、前記第１の搬送波周波数で提供されるＭＢＭＳサービスに対応される少なくとも一つの第１のＭＢＭＳサービス領域識別子（ＳＡＩ；ｓｅｒｖｉｃｅ  ａｒｅａ  ｉｄｅｎｔｉｔｙ）を前記受信されたシステム情報から獲得し、前記第１の搬送波周波数に隣接し、ＭＢＭＳサービスを提供する少なくとも一つの第２の搬送波周波数及び前記少なくとも一つの第２の搬送波周波数で提供されるＭＢＭＳサービスに対応される少なくとも一つの第２のＭＢＭＳサービス領域識別子を前記受信されたシステム情報から獲得することを含む。
【０００８】
他の態様において、無線通信システムにおけるＭＢＭＳ（ｍｕｌｔｉｍｅｄｉａ  ｂｒｏａｄｃａｓｔ／ｍｕｌｔｉｃａｓｔ  ｓｅｒｖｉｃｅ）サービス領域（ｓｅｒｖｉｃｅ  ａｒｅａ）情報を獲得する端末（ＵＥ；ｕｓｅｒ  ｅｑｕｉｐｍｅｎｔ）が提供される。前記端末は、無線信号を送信または受信するＲＦ（ｒａｄｉｏ  ｆｒｅｑｕｅｎｃｙ）部及び前記ＲＦ部と連結されるプロセッサを含み、前記プロセッサは、第１の搬送波周波数（ｃａｒｒｉｅｒ  ｆｒｅｑｕｅｎｃｙ）上で動作する第１のセルから放送（ｂｒｏａｄｃａｓｔ）されるシステム情報（ｓｙｓｔｅｍ  ｉｎｆｏｒｍａｔｉｏｎ）を受信し、前記第１の搬送波周波数で提供されるＭＢＭＳサービスに対応される少なくとも一つの第１のＭＢＭＳサービス領域識別子（ＳＡＩ；ｓｅｒｖｉｃｅ  ａｒｅａ  ｉｄｅｎｔｉｔｙ）を前記受信されたシステム情報から獲得し、前記第１の搬送波周波数に隣接し、ＭＢＭＳサービスを提供する少なくとも一つの第２の搬送波周波数及び前記少なくとも一つの第２の搬送波周波数で提供されるＭＢＭＳサービスに対応される少なくとも一つの第２のＭＢＭＳサービス領域識別子を前記受信されたシステム情報から獲得するように構成される。
本願明細書は、例えば、以下の項目も提供する。
（項目１）
無線通信システムにおける端末（ＵＥ；ｕｓｅｒ  ｅｑｕｉｐｍｅｎｔ）によるＭＢＭＳ（ｍｕｌｔｉｍｅｄｉａ  ｂｒｏａｄｃａｓｔ／ｍｕｌｔｉｃａｓｔ  ｓｅｒｖｉｃｅ）サービス領域（ｓｅｒｖｉｃｅ  ａｒｅａ）情報を獲得する方法において、
第１の搬送波周波数（ｃａｒｒｉｅｒ  ｆｒｅｑｕｅｎｃｙ）上で動作する第１のセルから放送（ｂｒｏａｄｃａｓｔ）されるシステム情報（ｓｙｓｔｅｍ  ｉｎｆｏｒｍａｔｉｏｎ）を受信し、
前記第１の搬送波周波数で提供されるＭＢＭＳサービスに対応される少なくとも一つの第１のＭＢＭＳサービス領域識別子（ＳＡＩ；ｓｅｒｖｉｃｅ  ａｒｅａ  ｉｄｅｎｔｉｔｙ）を前記受信されたシステム情報から獲得し、
前記第１の搬送波周波数に隣接し、ＭＢＭＳサービスを提供する少なくとも一つの第２の搬送波周波数及び前記少なくとも一つの第２の搬送波周波数で提供されるＭＢＭＳサービスに対応される少なくとも一つの第２のＭＢＭＳサービス領域識別子を前記受信されたシステム情報から獲得することを含む方法。
（項目２）
前記システム情報は、ＳＩＢ（ｓｙｓｔｅｍ  ｉｎｆｏｒｍａｔｉｏｎ  ｂｌｏｃｋ）１５であることを特徴とする項目１に記載の方法。
（項目３）
前記システム情報は、特定周波数で提供されるＭＢＭＳサービスに対応される少なくとも一つの第３のＭＢＭＳサービス領域識別子を含むことを特徴とする項目１に記載の方法。
（項目４）
前記システム情報は、特定ＭＢＭＳサービスに特定されることを特徴とする項目１に記載の方法。
（項目５）
前記端末が受信しようとするＭＢＭＳサービスに対応されるＭＢＭＳサービス領域の識別子が前記少なくとも一つの第２のＭＢＭＳサービス領域識別子に含まれる場合、前記ＭＢＭＳサービスを提供する第２の搬送波周波数上のセルを再選択（ｒｅｓｅｌｅｃｔ）することをさらに含む項目１に記載の方法。
（項目６）
少なくとも一つの搬送波周波数と少なくとも一つのＭＢＭＳサービス領域のマッピング情報を前記第１のセルから受信することをさらに含む項目１に記載の方法。
（項目７）
ＭＢＭＳサービス領域当たりＭＢＭＳサービスに対する情報をＭＢＭＳアプリケーションサーバ（ａｐｐｌｉｃａｔｉｏｎ  ｓｅｒｖｅｒ）またはＢＭ−ＳＣ（ｂｒｏａｄｃａｓｔ  ａｎｄ  ｍｕｌｔｉｃａｓｔ  ｓｅｒｖｉｃｅ  ｃｅｎｔｅｒ）から受信することをさらに含む項目１に記載の方法。
（項目８）
特定ＭＢＭＳサービスの開始時間に対する情報をＭＢＭＳアプリケーションサーバまたはＢＭ−ＳＣから受信することをさらに含む項目１に記載の方法。
（項目９）
前記第１のＭＢＭＳサービス領域及び前記第２のＭＢＭＳサービス領域は、少なくとも一つのセルを含むことを特徴とする項目１に記載の方法。
（項目１０）
前記第１のＭＢＭＳサービス領域及び前記第２のＭＢＭＳサービス領域は、少なくとも一つのＭＢＳＦＮ（ＭＢＭＳ  ｓｉｎｇｌｅ  ｆｒｅｑｕｅｎｃｙ  ｎｅｔｗｏｒｋ）領域を含むことを特徴とする項目１に記載の方法。
（項目１１）
無線通信システムにおけるＭＢＭＳ（ｍｕｌｔｉｍｅｄｉａ  ｂｒｏａｄｃａｓｔ／ｍｕｌｔｉｃａｓｔ  ｓｅｒｖｉｃｅ）サービス領域（ｓｅｒｖｉｃｅ  ａｒｅａ）情報を獲得する端末（ＵＥ；ｕｓｅｒ  ｅｑｕｉｐｍｅｎｔ）において、
無線信号を送信または受信するＲＦ（ｒａｄｉｏ  ｆｒｅｑｕｅｎｃｙ）部；及び、
前記ＲＦ部と連結されるプロセッサ；を含み、
前記プロセッサは、
第１の搬送波周波数（ｃａｒｒｉｅｒ  ｆｒｅｑｕｅｎｃｙ）上で動作する第１のセルから放送（ｂｒｏａｄｃａｓｔ）されるシステム情報（ｓｙｓｔｅｍ  ｉｎｆｏｒｍａｔｉｏｎ）を受信し、
前記第１の搬送波周波数で提供されるＭＢＭＳサービスに対応される少なくとも一つの第１のＭＢＭＳサービス領域識別子（ＳＡＩ；ｓｅｒｖｉｃｅ  ａｒｅａ  ｉｄｅｎｔｉｔｙ）を前記受信されたシステム情報から獲得し、
前記第１の搬送波周波数に隣接し、ＭＢＭＳサービスを提供する少なくとも一つの第２の搬送波周波数及び前記少なくとも一つの第２の搬送波周波数で提供されるＭＢＭＳサービスに対応される少なくとも一つの第２のＭＢＭＳサービス領域識別子を前記受信されたシステム情報から獲得するように構成される端末。
（項目１２）
前記システム情報は、ＳＩＢ（ｓｙｓｔｅｍ  ｉｎｆｏｒｍａｔｉｏｎ  ｂｌｏｃｋ）１５であることを特徴とする項目１１に記載の端末。
（項目１３）
前記端末が受信しようとするＭＢＭＳサービスに対応されるＭＢＭＳサービス領域の識別子が前記少なくとも一つの第２のＭＢＭＳサービス領域識別子に含まれる場合、前記プロセッサは、前記ＭＢＭＳサービスを提供する第２の搬送波周波数上のセルを再選択（ｒｅｓｅｌｅｃｔ）するようにさらに構成されることを特徴とする項目１１に記載の端末。
（項目１４）
前記プロセッサは、少なくとも一つの搬送波周波数と少なくとも一つのＭＢＭＳサービス領域のマッピング情報を前記第１のセルから受信するように構成されることを特徴とする項目１に記載の端末。
【発明の効果】
【０００９】
端末は、隣接搬送波周波数が提供するＭＢＭＳサービスを効率的に受信することができる。
【図面の簡単な説明】
【００１０】
【図１】無線通信システムを示すブロック図である。
【図２】ユーザ平面に対する無線プロトコル構造を示すブロック図である。
【図３】制御平面に対する無線プロトコル構造を示すブロック図である。
【図４】物理チャネルの構造の一例を示す。
【図５】ＭＢＭＳサービス領域（ｓｅｒｖｉｃｅ  ａｒｅａ）とＭＢＳＦＮ領域の構造を示す。
【図６】アイドルモードで端末にＭＢＭＳサービス連続性を提供することを示す。
【図７】提案されたシステム情報送信方法の一実施例を示す。
【図８】本発明の実施例が具現される無線通信システムのブロック図である。
【発明を実施するための形態】
【００１１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００１２】
説明を明確にするために、ＬＴＥ−Ａを中心に記述するが、本発明の技術的思想がこれに制限されるものではない。
【００１３】
図１は、無線通信システムを示すブロック図である。
【００１４】
図１は、Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）のネットワーク構造の一例である。Ｅ−ＵＴＲＡＮシステムは、３ＧＰＰ  ＬＴＥ／ＬＴＥ−Ａシステムであってもよい。Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）は、端末（ｕｓｅｒ  ｅｑｕｉｐｍｅｎｔ；ＵＥ）１０、及び端末に制御平面（ｃｏｎｔｒｏｌ  ｐｌａｎｅ）とユーザ平面（ｕｓｅｒ  ｐｌａｎｅ）を提供する基地局（ｂａｓｅ  ｓｔａｔｉｏｎ；ＢＳ）２０を含む。端末１０は、固定されたり移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）、無線機器（ｗｉｒｅｌｅｓｓ  ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つの基地局２０には一つ以上のセルが存在することができる。一つのセルは、１．２５、２．５、５、１０、及び２０ＭＨｚなどの帯域幅のうち一つに設定され、複数の端末にダウンリンクまたはアップリンクの転送サービスを提供する。この時、互いに異なるセルは、互いに異なる帯域幅を提供するように設定されることができる。
【００１５】
基地局２０間にはユーザトラフィックあるいは制御トラフィックの送信のためのインターフェースが使われることもできる。基地局２０は、Ｘ２インターフェースを介して互いに連結されることができる。基地局２０は、Ｓ１インターフェースを介してＥＰＣ（ｅｖｏｌｖｅｄ  ｐａｃｋｅｔ  ｃｏｒｅ）と連結される。より詳しくは、Ｓ１−ＭＭＥを介してＭＭＥ（ｍｏｂｉｌｉｔｙ  ｍａｎａｇｅｍｅｎｔ  ｅｎｔｉｔｙ）３０と連結され、Ｓ１−Ｕを介してサービングゲートウェイ（ｓｅｒｖｉｎｇ  ｇａｔｅｗａｙ；Ｓ−ＧＷ）３０と連結される。Ｓ１インターフェースは、基地局２０とＭＭＥ／Ｓ−ＧＷ３０との間に多対多関係（ｍａｎｙ−ｔｏ−ｍａｎｙ−ｒｅｌａｔｉｏｎ）をサポートする。
【００１６】
以下、ダウンリンク（ＤＬ；ｄｏｗｎｌｉｎｋ）は、基地局２０から端末１０への通信を意味し、アップリンク（ＵＬ；ｕｐｌｉｎｋ）は、端末１０から基地局２０への通信を意味する。ダウンリンクで、送信機は基地局２０の一部であり、受信機は端末１０の一部である。アップリンクで、送信機は端末１０の一部であり、受信機は基地局２０の一部である。
【００１７】
端末とＥ−ＵＴＲＡＮとの間の無線インターフェースプロトコル（ｒａｄｉｏ  ｉｎｔｅｒｆａｃｅ  ｐｒｏｔｏｃｏｌ）の階層は、通信システムで広く知られた開放型システム間相互接続（ＯＳＩ；ｏｐｅｎ  ｓｙｓｔｅｍ  ｉｎｔｅｒｃｏｎｎｅｃｔｉｏｎ）基準モデルの下位３個階層に基づき、Ｌ１（第１の階層）、Ｌ２（第２の階層）、及びＬ３（第３の階層）に区分されることができる。端末とＥ−ＴＵＲＡＮとの間の無線インターフェースプロトコルは、水平的に、物理階層、データリンク階層（ｄａｔａ  ｌｉｎｋ  ｌａｙｅｒ）、及びネットワーク階層（ｎｅｔｗｏｒｋ  ｌａｙｅｒ）に区分されることができ、垂直的に、データ情報送信のためのプロトコルスタック（ｐｒｏｔｏｃｏｌ  ｓｔａｃｋ）であるユーザ平面（ｕｓｅｒ  ｐｌａｎｅ）と制御信号送信のためのプロトコルスタックである制御平面（ｃｏｎｔｒｏｌ  ｐｌａｎｅ）に区分されることができる。
【００１８】
図２は、ユーザ平面に対する無線プロトコル構造を示すブロック図である。図３は、制御平面に対する無線プロトコル構造を示すブロック図である。
【００１９】
図２及び図３を参照すると、Ｌ１に属する物理階層（ＰＨＹ；ｐｈｙｓｉｃａｌ  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（ｍｅｄｉｕｍ  ａｃｃｅｓｓ  ｃｏｎｔｒｏｌ）階層とトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介してデータがどんな方法により、どんな特徴に送信されるかによって分類される。また、互いに異なる物理階層間、即ち、送信機と受信機の物理階層間には物理チャネルを介してデータが移動する。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式に変調され、時間と周波数を無線リソースとして活用する。
【００２０】
物理階層で使われる複数個の物理制御チャネルがある。ＰＤＣＣＨ（ｐｈｙｓｉｃａｌ  ｄｏｗｎｌｉｎｋ  ｃｏｎｔｒｏｌ  ｃｈａｎｎｅｌ）は、端末にＰＣＨ（ｐａｇｉｎｇ  ｃｈａｎｎｅｌ）とＤＬ−ＳＣＨ（ｄｏｗｎｌｉｎｋ  ｓｈａｒｅｄ  ｃｈａｎｎｅｌ）のリソース割当及びＤＬ−ＳＣＨと関連したＨＡＲＱ（ｈｙｂｒｉｄ  ａｕｔｏｍａｔｉｃ  ｒｅｐｅａｔ  ｒｅｑｕｅｓｔ）情報を知らせる。ＰＤＣＣＨは、端末にアップリンク送信のリソース割当を知らせるアップリンクスケジューリンググラント（ｇｒａｎｔ）を運ぶことができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、端末にＰＤＣＣＨに使われるＯＦＤＭシンボルの数を知らせ、サブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、アップリンク送信の応答としてＨＡＲＱ  ＡＣＫ／ＮＡＫ信号を運ぶ。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信に対するＨＡＲＱ  ＡＣＫ／ＮＡＫ、スケジューリング要求及びＣＱＩのようなアップリンク制御情報を運ぶ。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を運ぶ。
【００２１】
図４は、物理チャネルの構造の一例を示す。
【００２２】
物理チャネルは、時間領域上にある複数のサブフレーム（ｓｕｂｆｒａｍｅ）と周波数領域上にある複数の副搬送波（ｓｕｂｃａｒｒｉｅｒ）で構成される。一つのサブフレームは、時間領域上の複数のシンボルで構成される。一つのサブフレームは、複数のリソースブロック（ＲＢ；ｒｅｓｏｕｒｃｅ  ｂｌｏｃｋ）で構成され、一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。
【００２３】
ネットワークから端末にデータを送信するＤＬトランスポートチャネルは、システム情報（ｓｙｓｔｅｍ  ｉｎｆｏｒｍａｔｉｏｎ）を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、及びユーザトラフィックや制御信号を送信するＤＬ−ＳＣＨなどがある。システム情報は、一つ以上のシステム情報ブロックを運び、全てのシステム情報ブロックは同一周期に送信されることができる。マルチメディアブロードキャストマルチキャストサービス（ＭＢＭＳ；ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。一方、端末からネットワークにデータを送信するＵＬトランスポートチャネルは、初期制御メッセージを送信するＲＡＣＨ（ｒａｎｄｏｍ  ａｃｃｅｓｓ  ｃｈａｎｎｅｌ）とユーザトラフィックや制御信号を送信するＵＬ−ＳＣＨなどがある。
【００２４】
Ｌ２に属するＭＡＣ階層は、論理チャネルを介して上位階層であるＲＬＣ（ｒａｄｉｏ  ｌｉｎｋ  ｃｏｎｔｒｏｌ）階層にサービスを提供する。ＭＡＣ階層の機能は、論理チャネルとトランスポートチャネルとの間のマッピング及び論理チャネルに属するＭＡＣ  ＳＤＵ（ｓｅｒｖｉｃｅ  ｄａｔａ  ｕｎｉｔ）のトランスポートチャネル上に、物理チャネルに提供されるトランスポートブロック（ｔｒａｎｓｐｏｒｔ  ｂｌｏｃｋ）への多重化／逆多重化を含む。論理チャネルは、トランスポートチャネルの上位にあり、トランスポートチャネルにマッピングされる。論理チャネルは、制御領域情報の伝達のための制御チャネルとユーザ領域情報の伝達のためのトラフィックチャネルに分けることができる。
【００２５】
Ｌ２に属するＲＬＣ階層は、信頼性のあるデータの送信をサポートする。ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラ（ＲＢ；ｒａｄｉｏ  ｂｅａｒｅｒ）が要求する多様なＱｏＳ（ｑｕａｌｉｔｙ  ｏｆ  ｓｅｒｖｉｃｅ）を保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の３つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。一方、ＲＬＣ階層の機能は、ＭＡＣ階層内部の機能ブロックで具現されることができ、この時、ＲＬＣ階層は、存在しないこともある。
【００２６】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ユーザ平面でのＰＤＣＰ階層の機能は、ユーザデータの伝達、ヘッダ圧縮（ｈｅａｄｅｒ  ｃｏｍｐｒｅｓｓｉｏｎ）、及び暗号化（ｃｉｐｈｅｒｉｎｇ）を含む。ヘッダ圧縮は、帯域幅が小さい無線区間で効率的な送信をサポートするために、相対的に大きさが大きくて不必要な制御情報を含んでいるＩＰパケットヘッダサイズを減らす機能をする。制御平面でのＰＤＣＰ階層の機能は、制御平面データの伝達及び暗号化／完全性保護（ｉｎｔｅｇｒｉｔｙ  ｐｒｏｔｅｃｔｉｏｎ）を含む。
【００２７】
Ｌ３に属するＲＲＣ（ｒａｄｉｏｒｅ  ｓｏｕｒｃｅ  ｃｏｎｔｒｏｌ）階層は、制御平面でのみ定義される。ＲＲＣ階層は、端末とネットワークとの間の無線リソースを制御する役割を遂行する。このために、端末とネットワークは、ＲＲＣ階層を介してＲＲＣメッセージを互いに交換する。ＲＲＣ階層は、ＲＢの設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ２により提供される論理的経路を意味する。ＲＢが設定されるというのは、特定サービスを提供するために、無線プロトコル階層及びチャネルの特性を規定し、それぞれの具体的なパラメータ及び動作方法を設定することを意味する。また、ＲＢは、ＳＲＢ（ｓｉｇｎａｌｉｎｇ  ＲＢ）とＤＲＢ（ｄａｔａ  ＲＢ）の２つに分けられることができる。ＳＲＢは、制御平面でＲＲＣメッセージを送信する通路として使われ、ＤＲＢは、ユーザ平面でユーザデータを送信する通路として使われる。一方、端末のＲＲＣ階層とネットワークのＲＲＣ階層との間のＲＲＣ連結（ｃｏｎｎｅｃｔｉｏｎ）がある場合、端末は、ＲＲＣ連結状態にあり、そうでない場合、ＲＲＣアイドルモード（ｉｄｌｅ  ｍｏｄｅ）にある。
【００２８】
ＲＲＣ階層の上位に位置するＮＡＳ（ｎｏｎ−ａｃｃｅｓｓ  ｓｔｒａｔｕｍ）階層は、セッション管理（ｓｅｓｓｉｏｎ  ｍａｎａｇｅｍｅｎｔ）と移動性管理（ｍｏｂｉｌｉｔｙ  ｍａｎａｇｅｍｅｎｔ）などの機能を遂行する。
【００２９】
ＭＢＭＳのためのトランスポートチャネルであるＭＣＨは、制御信号のための論理チャネルであるＭＣＣＨ（ｍｕｌｔｉｃａｓｔ  ｃｏｎｔｒｏｌ  ｃｈａｎｎｅｌ）及びデータのための論理チャネルであるＭＴＣＨ（ｍｕｌｔｉｃａｓｔ  ｔｒａｆｆｉｃ  ｃｈａｎｎｅｌ）とマッピングされることができる。ＭＣＣＨはＭＢＭＳ関連ＲＲＣメッセージを送信し、ＭＴＣＨは特定ＭＢＭＳサービスのトラフィックを送信することができる。同一ＭＢＭＳ情報及びトラフィックを送信する一つのＭＢＳＦＮ（ＭＢＭＳ  ｓｉｎｇｌｅ  ｆｒｅｑｕｅｎｃｙ  ｎｅｔｗｏｒｋ）領域毎に一つのＭＣＣＨチャネルが存在することができる。または、複数のＭＢＳＦＮ領域が一つのセルで提供される場合、端末は、複数のＭＣＣＨを受信することもできる。特定ＭＣＣＨでＭＢＭＳ関連ＲＲＣメッセージが変更される場合、ＰＤＣＣＨは、Ｍ−ＲＮＴＩ（ＭＢＭＳ  ｒａｄｉｏ  ｎｅｔｗｏｒｋ  ｔｅｍｐｏｒａｒｙ  ｉｄｅｎｔｉｔｙ）と特定ＭＣＣＨを指示するＭＣＣＨ指示子を送信することができる。ＭＢＭＳをサポートする端末は、前記ＰＤＣＣＨを介してＭ−ＲＮＴＩとＭＣＣＨ指示子を受信し、特定ＭＣＣＨでＭＢＭＳ関連ＲＲＣメッセージが変更されたと判断し、前記特定ＭＣＣＨを受信することができる。ＭＣＣＨのＲＲＣメッセージは、変更周期毎に変更されることができ、反復周期毎に繰り返して放送（ｂｒｏａｄｃａｓｔ）されることができる。
【００３０】
図５は、ＭＢＭＳサービス領域（ｓｅｒｖｉｃｅ  ａｒｅａ）とＭＢＳＦＮ領域の構造を示す。
【００３１】
ＭＢＭＳサービス領域は、特定ＭＢＭＳサービスが提供される領域である。図５に示していないが、ＭＢＳＦＮ同期化領域（ｓｙｎｃｈｒｏｎｉｚａｔｉｏｎ  ａｒｅａ）は、全ての基地局が同期化されることができ、ＭＢＳＦＮ送信を実行するネットワーク上の領域を示す。ＭＢＳＦＮ同期化領域は、一つ以上のＭＢＳＦＮ領域をサポートすることができる。与えられた周波数階層で、基地局は一つのＭＢＳＦＮ同期化領域に属することができる。ＭＢＳＦＮ同期化領域は、ＭＢＭＳサービス領域と独立的に設定されることができる。ＭＢＳＦＮ領域は、ネットワークのＭＢＳＦＮ同期化領域内のセルのグループを含むことができる。ＭＢＳＦＮ領域留保セル（ｒｅｓｅｒｖｅｄ  ｃｅｌｌ）を除いてＭＢＳＦＮ領域内の全てのセルは、ＭＢＳＦＮ送信を実行することができる。端末は、受信に関心のあるＭＢＭＳサービスのためにどのＭＢＳＦＮ領域が適用されるかを知ることができる時、構成されたＭＢＳＦＮ領域の副集合（ｓｕｂｓｅｔ）のみを考慮すればよい。ＭＢＳＦＮ領域留保セルは、ＭＢＳＦＮ領域内に位置し、ＭＢＳＦＮ送信を実行しないセルである。
【００３２】
一方、ネットワークは、集計過程（ｃｏｕｎｔｉｎｇ  ｐｒｏｃｅｄｕｒｅ）を介して特定サービスを受信する端末の数を計算することができる。集計過程は、ネットワークが集計要求（ｃｏｕｎｔｉｎｇ  ｒｅｑｕｅｓｔ）メッセージを送信すると、端末が集計応答（ｃｏｕｎｔｉｎｇ  ｒｅｓｐｏｎｓｅ）メッセージを送信することと構成されることができる。
【００３３】
図６は、アイドルモードで端末にＭＢＭＳサービス連続性を提供することを示す。
【００３４】
図６を参照すると、現在端末は、第１の周波数（ｆｒｅｑ  １）を介してサービスされている。端末が第１の周波数上のセル１０からセル１１に移動する途中にＭＢＭＳサービスの受信に関心があると、端末は、第１の周波数上のセル１１から離れて第２の周波数（ｆｒｅｑ  ２）上のセル２２を再選択してＭＢＳＦＮ領域に進入することができる。端末は、第２の周波数に最も高い再選択優先順位（ｈｉｇｈｅｓｔ  ｒｅｓｅｌｅｃｔｉｏｎ  ｐｒｉｏｒｉｔｙ）を置いてセル２２を再選択することができる。ＭＢＳＦＮ領域は、第２の周波数上のセル２２からセル２４まで続くことができる。端末が移動し続けることによって、端末は、ＭＢＳＦＮ領域から離れるようになり、第１の周波数上のセル１５に進入する。
【００３５】
この時、端末がＭＢＭＳサービスを提供する領域に位置するかどうかが問題になることができる。例えば、図６で、端末は第２の周波数がＭＢＭＳサービスを提供するということを知ることができるが、第２の周波数上の全てのセルがＭＢＭＳサービスを提供するものではない。図６で、セル２２〜セル２４がＭＢＳＦＮ領域に該当し、セル２０、セル２１、及びセル２５は、ＭＢＭＳサービスを提供しない。即ち、端末が第１の周波数上のセル１０に位置する時、第２の周波数上のセル２０がＭＢＭＳサービスを提供しないということをどのように認知するかが問題になる。
【００３６】
ＭＢＭＳサービスを受信しようとする端末は、ＭＢＭＳサービスが提供される周波数で放送される制御情報を介して現在搬送波周波数（ｃｕｒｒｅｎｔ  ｃａｒｒｉｅｒ  ｆｒｅｑｕｅｎｃｙ）で提供されるＭＢＭＳサービスの情報を獲得することができる。しかし、端末は、隣接搬送波周波数（ｎｅｉｇｈｂｏｒｉｎｇ  ｃａｒｒｉｅｒ  ｆｒｅｑｕｅｎｃｙ）で提供されるＭＢＭＳサービスに対する情報を知らない。端末は、隣接搬送波周波数で提供されるＭＢＭＳサービスを受信しようとすることができる。端末は、隣接搬送波周波数で放送される制御情報を直接受信し、隣接搬送波周波数で提供されるＭＢＭＳサービスの情報を獲得することができる。しかし、端末が隣接搬送波周波数で放送される制御情報を直接探して受信することによって、端末のバッテリ消耗が増加する問題点が発生することができる。
【００３７】
従って、本発明は、端末が隣接搬送波周波数が提供するＭＢＭＳサービスを大きいバッテリ消耗無しに効率的に受信するために、システム情報を介して隣接搬送波周波数が提供するＭＢＭＳサービスに関する情報を獲得する方法を提供する。端末は、第１の搬送波周波数を提供する第１のセルに接続し、第１のセルが放送するシステム情報を受信し、受信したシステム情報からＭＢＭＳサービスを提供する第２の搬送波周波数及び第２のセルで提供されるＭＢＭＳサービス領域に対する情報を獲得することができる。受信しようとするＭＢＭＳサービスのサービス領域が前記ＭＢＭＳサービス領域に対する情報に含まれる場合、端末は、第２の搬送波周波数を提供する第２のセルを再選択（ｒｅｓｅｌｅｃｔｉｏｎ）することができる。
【００３８】
以下、具体的な実施例を介して提案された発明を説明する。
【００３９】
図７は、提案されたシステム情報送信方法の一実施例を示す。
【００４０】
１．端末は、ＭＢＭＳサービス領域当たりＭＢＭＳサービスに対する情報を受信する。ＭＢＭＳサービス領域は、端末が関心を有するＭＢＭＳサービスを提供する一つ以上のセルを含むことができる。また、ＭＢＭＳサービス領域は、端末が関心を有するＭＢＭＳサービスを提供する一つ以上のＭＢＳＦＮ領域を含むことができる。ＭＢＭＳサービスに対する情報は、ＭＢＭＳアプリケーションサーバ（ａｐｐｌｉｃａｔｉｏｎ  ｓｅｒｖｅｒ）またはＢＭ−ＳＣ（ｂｒｏａｄｃａｓｔ  ａｎｄ  ｍｕｌｔｉｃａｓｔ  ｓｅｒｖｉｃｅ  ｃｅｎｔｅｒ）から受信されることができる。また、端末は、特定ＭＢＭＳサービスの送信開始時間に対する情報を受信することができる。
【００４１】
２．ＭＣＥ（ＭＢＭＳ  ｃｏｏｒｄｉｎａｔｉｏｎ  ｅｎｔｉｔｙ）／ＭＭＥは、特定搬送波周波数上でどのＭＢＭＳサービス領域がカバーされるかに対する情報をＭＢＭＳアプリケーションサーバまたはＢＭ−ＳＣから獲得することができる。即ち、ＭＣＥ／ＭＭＥは、一つ以上の搬送波周波数と一つ以上のＭＢＭＳサービス領域のマッピング関係に対する情報を受信することができる。ＭＣＥ／ＭＭＥは、獲得した情報を第１のセルを管理する基地局に送信することができる。セル１は、第１の搬送波周波数（Ｆ１）を提供する。
【００４２】
３．端末は、関心のあるＭＢＭＳサービスの開始時間になったかどうかを判断する。
【００４３】
４．端末は、Ｆ１を提供する第１のセルに接続する。第１のセルは、隣接セルである第２のセルが提供する第２の搬送波周波数（Ｆ２）上でどのＭＢＭＳサービス領域がカバーされるかに対する情報をシステム情報を介して放送することができる。端末が関心のあるＭＢＭＳサービスの開始時間になった場合、端末は、Ｆ１上にシステム情報を受信する。システム情報は、一つ以上の特定ＭＢＭＳサービスに特定（ｓｐｅｃｉｆｉｃ）されることができる。ＳＩＢは、搬送波周波数の一つ以上の識別子（ｉｄｅｎｔｉｔｙ）と前記搬送波周波数に対応されるＭＢＭＳサービス領域の一つ以上の識別子を含むことができる。例えば、システム情報は、Ｆ２の識別子を使用して少なくとも一つのＦ２を指示し、ＭＢＭＳサービス領域の識別子を使用してＦ２が提供する少なくとも一つのＭＢＭＳサービス領域を指示することができる。
【００４４】
端末がＦ１上に受信するシステム情報は、ＳＩＢ（ｓｙｓｔｅｍ  ｉｎｆｏｒｍａｔｉｏｎ  ｂｌｏｃｋ）１３であってもよい。または、端末がＦ１上に受信するシステム情報は、新たに定義されるＳＩＢ１５であってもよい。ＳＩＢ１５は、現在及び／または隣接搬送波周波数のＭＢＭＳサービス領域識別子（ＳＡＩ；ｓｅｒｖｉｃｅ  ａｒｅａ  ｉｄｅｎｔｉｔｙ）を含むことができる。表１は、ＳＩＢ１５の一例を示す。
【００４５】
【表１】
0005584830.tif 000002
【００４６】
表１で、ｓａｉ−ＩｎｔｒａＦｒｅｑフィールドは、現在端末が接続している搬送波周波数のＭＢＭＳサービス領域識別子のリストを含む。ｓａｉ−ＩｎｔｅｒＦｒｅｑＬｉｓｔフィールドは、ＭＢＭＳサービスを提供する隣接周波数のリスト及びこれに対応されるＭＢＭＳサービス領域識別子のリストを含む。ｓａｉ−Ｌｉｓｔフィールドは、特定周波数のためのＭＢＭＳサービス領域識別子のリストを含む。
【００４７】
５．端末は受信したシステム情報を介して関心のあるＭＢＭＳサービスが提供されるＭＢＭＳサービス領域の搬送波周波数を獲得する。これにより、端末は関心のあるＭＢＭＳサービス領域の搬送波周波数がＦ２であることを知ることができる。
【００４８】
６．端末は、チャネル品質（ｃｈａｎｎｅｌ  ｑｕａｌｉｔｙ）に基づいてＦ２上のセルを再選択する。
【００４９】
７．端末は、Ｆ２を提供する第２のセルからシステム情報を受信する。システム情報は、ＳＩＢ１３であってもよい。または、システム情報は、表１の新たに定義されたＳＩＢ１５であってもよい。端末は、第２の搬送波周波数上にどのＭＢＳＦＮ領域が提供されるかに対する情報を獲得することができる。特定ＭＢＳＦＮ領域が関心のあるＭＢＭＳサービスが提供されるＭＢＭＳサービス領域にマッピングされる場合、端末は、関心のあるＭＢＭＳサービスの受信のために特定ＭＢＳＦＮ領域に対応されるＭＣＣＨを構成することができる。端末は、ＭＢＳＦＮ領域とＭＢＭＳサービス領域のマッピング関係をＭＢＭＳアプリケーションサーバ、ＢＭ−ＳＣ、ＭＣＥ／ＭＭＥ等を介して予め知ることができる。
【００５０】
８．端末は、関心のあるＭＢＭＳサービスのセッションが開始したかどうかをチェックするためにＭＣＣＨを周期的にモニタリングする。この時、端末は、第１のセルに接続している。端末が第１のセルに接続している場合、端末は、Ｆ２上のＭＣＣＨをモニタリングするためのタイマを使用することができる。端末がＦ２上のＭＣＣＨをモニタリングするたびに、端末はタイマを開始または再開始することができる。タイマが動作中、端末は、第１のセルに接続している。タイマが満了すると、端末は、Ｆ２上のＭＣＣＨをモニタリングする。ＭＣＣＨをモニタリングした結果、関心のあるＭＢＭＳサービスがＦ２上に送信されないと、端末は、再びＦ１上の第１のセルに接続する。または、関心のあるＭＢＭＳサービスが開始される場合、端末は、Ｆ１上の第１のセルからＦ２上の第２セルに移動し、第２のセルに引き続き接続することもある。
【００５１】
９．関心のあるＭＢＭＳサービスのセッションの送信が開始されると、第１のセルに接続した端末は第２セルに接続する。
【００５２】
１０．関心のあるＭＢＭＳサービスのセッションの送信が開始された場合、端末は、ＰＭＣＨ（ｐｈｙｓｉｃａｌ  ｍｕｌｔｉｃａｓｔ  ｃｈａｎｎｅｌ）上にＭＴＣＨを構成し、ＭＴＣＨ上に関心のあるＭＢＭＳサービスを受信することができる。
【００５３】
図８は、本発明の実施例が具現される無線通信システムのブロック図である。
【００５４】
基地局８００は、プロセッサ（ｐｒｏｃｅｓｓｏｒ）８１０、メモリ（ｍｅｍｏｒｙ）８２０、及びＲＦ部（ｒａｄｉｏ  ｆｒｅｑｕｅｎｃｙ  ｕｎｉｔ）８３０を含む。プロセッサ８１０は、提案された機能、過程及び／または方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／または受信する。
【００５５】
端末９００は、プロセッサ９１０、メモリ９２０、及びＲＦ部９３０を含む。プロセッサ９１０は、提案された機能、過程及び／または方法を具現する。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、無線信号を送信及び／または受信する。
【００５６】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段によりプロセッサ８１０、９１０と連結されることができる。
【００５７】
前述した例示的なシステムにおいて、方法は一連の段階またはブロックで順序図に基づいて説明されているが、本発明は、段階の順序に限定されるものではなく、ある段階は前述と異なる段階と異なる順序にまたは同時に発生することができる。また、当業者であれば、順序図に示す段階が排他的ではなく、他の段階が含まれたり、順序図の一つまたはその以上の段階が本発明の範囲に影響を及ぼさずに削除可能であることを理解することができる。
【図３（ａ）】
0005584830.tif 000003
【図３（ｂ）】
0005584830.tif 000004
【図１】
0005584830.tif 000005
【図２】
0005584830.tif 000006
【図４】
0005584830.tif 000007
【図５】
0005584830.tif 000008
【図６】
0005584830.tif 000009
【図７】
0005584830.tif 000010
【図８】
0005584830.tif 000011